(57)【特許請求の範囲】
【請求項１】
変換器軸に対しほぼ中心対称であるほぼ中空の円筒形磁石系と、変換器軸の方向に振動し得る振動板と、該振動板に連結され且つコイル線を巻いてなるとともに２つのコイルリードを有するボイスコイルと、変換器軸の方向にみて中空円筒形磁石系の内部に位置するとともに各々１つのコイルリードに接続された２つの接点端子とを具える電気音響変換器において、前記２つの接点端子の各々が少なくとも１つの屈曲部を有するばね接点により形成され、各ばね接点が変換器軸に対し横方向に延在する少なくとも２つのリムを有し、その第１リムが変換器の一部分に機械的に連結され、その第２リムがつがい接点と係合する接点面を有し、該接点面が変換器軸にほぼ平行に移動可能であり、且つ両ばね接点の２つの接点面が変換器軸から異なる半径距離に位置することを特徴とする電気音響変換器。
【請求項２】
少なくとも１つの屈曲部を有するばね接点の第１リムが中空円筒形円周壁を有する磁石系の中空円筒形部分内に装着されたほぼポット形の接点ホルダの底壁に機械的に連結されていることを特徴とする請求項１記載の変換器。
【請求項３】
少なくとも１つの屈曲部を有する２つのばね接点の少なくともその大部分が、変換器軸に垂直の方向に見ても、ほぼ中空円筒形磁石系内に配置されていることを特徴とする請求項１又は２記載の変換器。
【請求項４】
少なくとも１つの屈曲部を有する２つのばね接点の接点面が、変換器軸に垂直の方向に見て、ほぼ中空円筒形磁石系の外部に配置されていることを特徴とする請求項３記載の変換器。
【請求項５】
２つのばね接点は１つの屈曲部のみを有し、従ってほぼＵ字形のものであることを特徴とする請求項１〜４の何れかに記載の変換器。
【請求項６】
変換器の外径の値が最大で２０．０ｍｍであることを特徴とする請求項１〜５の何れかに記載の変換器。
【発明の詳細な説明】
本発明は、変換器軸に対しほぼ中心対称であるほぼ中空円筒形の磁石系と、変換器軸の方向に振動し得る振動板と、該振動板に接続され且つコイル線を巻いてなるとともに２つのコイルリードを有するボイスコイルと、変換器軸の方向にみて中空円筒形磁石系の内部に位置するとともに各々１つのコイルリードに接続された２つの接点端子とを具える電気音響変換器に関するものである。
頭書に記載したタイプの電気音響変換器はＤＥ２５０３８２８Ｃ３明細書から既知である。この既知の変換器では、２つの接点端子がポット形支持素子の底壁を貫通するとともにこの底壁に機械的に固定された２つの接点ピンにより形成され、その結果として接点ピンの先端により形成される接点面は不動接点、即ち固定接点となる。しかし、これは、既知の変換器を電気音響装置内に装着するとき、接点ピンの先端とつがい接点との間に適正な接触を保証するためには、２つの接点ピンをこれらの接点ピンに対し極めて精密に位置させた弾性つがい接点又は固定つがい接点と作動的に係合させなければならないという不所望な結果をもたらす。また既知の変換器では、２つの接点ピンは変換器軸から正確に等しい半径方向距離を有し、その結果として既知の変換器は電気音響装置内に任意の相対位置に装着する又は組み込むことができない。その理由は、不正確な相対位置の場合には、接点ピンが関連する電気音響装置に設けられたつがい接点と作動的に係合できないためである。
本発明の目的は、上述の問題を除去し、改良した頭書に記載のタイプの変換器を提供することにある。この目的を達成するために、本発明は頭書に記載のタイプの電気音響変換器において、前記２つの接点端子の各々が少なくとも１つの屈曲部を有するばね接点により形成され、各ばね接点が変換器軸に対し横方向に延在する少なくとも２つのリムを有し、その第１リムが変換器の一部分に機械的に連結され、その第２リムがつがい接点と係合する接点面を有し、該接点面が変換器軸にほぼ平行に移動可能であり、且つ両ばね接点の２つの接点面が変換器軸から異なる半径距離の位置することを特徴とする。接点端子を少なくとも１つの屈曲部を有するとともに変換器軸にほぼ平行に移動し得る接点面を有するばね接点として構成することにより、ばね接点の接点面を電気音響装置のつがい接点と常に適正に係合させることができるとともに、寸法公差をほとんど無視することができる。ばね接点は少なくとも１つの屈曲部を有し、ばね接点のリムが変換器軸に対し横方向に延在するものとするのが特に有利である点に注意されたい。その理由は、このようにするとばね接点の構成が、従って変換器全体の構成も、半径方向に極めてコンパクトになるからである。少なくとも１つの屈曲部を有するばね接点の構成は、更に、両ばね接点のほぼ全体を中空円筒形磁石系の内部に収納することができる利点を有する。更に、本発明の変換器では両ばね接点が変換器軸から異なる半径距離に位置するため、本発明の変換器は、ばね接点と協働する接点として変換器軸と同軸の環状接点を有する電気音響装置内に任意所望の相対位置に装着することができ、変換器を所定の相対位置に位置させる必要がなく、このような装置内への変換器の装着をできるだけ簡単にすることができる。
本発明の変換器では、少なくとも１つの屈曲部を有するばね接点の第１リムを中空円筒形円周壁を有する磁石系の中空円筒形部分内に装着されたほぼポット形の接点ホルダの底壁に機械的に連結すると有利であることがわかった。これは本発明の変換器内へのばね接点の簡単な装着のために有利である。
本発明の変換器では、少なくとも１つの屈曲部を有する２つのばね接点の少なくともその大部を、変換器軸に対し横方向に見ても、ほぼ中空円筒形磁石系内に配置すると極めて有利であることがわかった。このようにすると、本発明の変換器の寸法を変換器軸の方向においても特に小さくすることができる。
前段落に記載した変換器において、ばね接点全体を、変換器軸に垂直の方向に見て、ほぼ中空円筒形磁石系内に位置させることもできる。しかし、少なくとも１つの屈曲部を有する２つのばね接点の接点面を、変換器軸に直角の方向に見て、ほぼ中空の円筒形磁石系の外部に位置させると特に有利であることがわかった。これは、本発明の変換器を電気音響装置内に装着する際のばね接点と電気音響装置のつがい接点との係合をできるだけ簡単にするために有利である。
本発明の変換器の上述のすべての変形例において、ばね接点は２つの屈曲部を有するもの、即ちＳ字形のものとすることもできる。しかし、２つのばね接点を１つの屈曲部を有するもの、従ってほぼＵ字形のものとすると極めて有利であることがわかった。これは、コンパクト構造と緩やかなばね作用との間の満足な妥協をもたらす。
本発明の変換器の上述のすべての変形例において、変換器の外径の値は最大で２０．０ｍｍとする。従って、これらの変換器は特にコンパクトな構成を有する。
本発明の上述した特徴及び他の特徴は後述する実施例の説明から明らかになる。
本発明を本発明の一実施例を示す図面を参照して以下に更に詳細に記載するが、本発明はこの実施例に限定されるものではない。図面において、
図１は２つのほぼＵ字形のばね接点により形成された２つの接点端子を具える本発明を具体化した電気音響変換器を示す、図２の矢Ｉの方向に見た底面図であり、
図２は図１の矢IIの方向に見た図１の変換器を示し、
図３は図２の矢IIIの方向に見た図１及び２の変換器の平面図である。
図１−３は変換器軸２を有する電気音響変換器１を示す。変換器１の個々の部品を収納し、保持するために、変換器１はプラスチックハウジング３を具える。ハウジング３は、上端で幅狭の環状境界壁５に変化するとともに下端に等角度間隔に配置された３つの取付け用突部６、７及び８を有する中空円筒形円周壁４を本質的に具える。変換器１の組立て前は、取り付け用突部６、７及び８が円周壁４から半径方向に突出しており、変換器１のすべての部品をハウジング３内に装着した後にこれらの突部を超音波プロセスにより折り曲げる。
変換器１は変換器軸２に対し中心対称であるほぼ中空円筒形の磁石系９を具え、その構造は図２から明かである。磁石系９はリング磁石１０を具え、この磁石はその上面側で環状カバーディスク１１に接し、その下面側でヨーク１３の環状コアディスク１２に接する。ヨーク１３は環状コアディスク１２と、更に、中空円筒形ヨーク部分１４とを具える。この円筒形ヨーク部分はコアディスク１２と反対側の端がカバーディスク１１の区域内まで延長し、即ちカバーディスク１１とヨーク部分１４との間に環状空隙１５が形成される。
コイル線を巻いて得られるボイスコイル１６を空隙１５内に配置する。コイル線を巻いて得られるこのようなコイルの構造は一般に既知であるため、このコイルを図２に線図的にのみ示す。既知のように、ボイスコイル１６は変換器軸２の方向に振動し得る振動板１７に接着剤接合により固着する。振動板１７は湾曲した中心部１８と環状周縁部１９とを具え、周縁部１９はカバーディスク１１に、ハウジング３の幅狭環状境界壁５とカバーディスク１１との間の縁領域で接着剤により固定する。
図１−３に示す変換器１では、カバーディスク１１、リング磁石１０、ヨーク１３のコアディスク１２及び振動板１７はすべてハウジング３の円周壁４の内径に精密に一致する同一の外径を有するため、ヨーク１３のコアディスク１２、リング磁石１０並びにカバーディスク１１が、従って振動板１７も、ハウジング３の円周壁４によって変換器軸２に対し正確に位置決めされる。その結果として空隙１５内のボイスコイル１６の正確な位置決めが得られるため、ボイスコイル１６の無妨害の振動が保証される。
コイル線からなるボイスコイル１６は２つのコイルリード２０を有し、そのうちの１つのリード２０のみが図２に示されている。変換器１は更に２つの接点端子を有し、その両方が図１に示されているが、図２にはこれらの接点端子の１つのみが見える。２つの接点端子の各々は１つのコイルリードに、好ましくははんだ付けにより電気的に接続するが、締付けも可能である。変換器軸の方向に見て、２つの接点端子はほぼ中空円筒形磁石系９の内部に配置される。
図２から明らかなように、図１−３に示す変換器の接点端子はほぼＵ字形のばね接点２１及び２２により形成され、各ばね接点は変換器軸２に対し横方向に延在するリム２３及び２４を有し、その第１リム２３が変換器１の一部分に機械的に連結され、第２リム２４がつがい接点と協働する接点面２５を有し、この接点面が変換器軸２にほぼ平行に移動し得る。接点面２５は第２リム２４から曲げ出されたばね接点部分により形成する。２つのばね接点２１及び２２の２つの接点面２５は、図１に明瞭に示すように、変換器軸２から異なる半径距離の位置に位置させるのが好適である。
上述したように、２つのばね接点２１及び２２の各々の第１リム２３は変換器１の一部分に機械的に連結する。２つのばね接点２１及び２２を取り付ける変換器１のこの部分はほぼポット形の接点ホルダ２６により形成する。２つのＵ字形ばね接点２１及び２２の第１リム２３はポット形接点ホルダ２６の底壁２７に機械的に連結する。ポット形接点ホルダ２６は、その中空円筒形円周壁２８によって磁石系９のヨーク１３の中空円筒形ヨーク部分１４内に装着する。
Ｕ字形ばね接点２１及び２２の各々の第１リム２３はその遊端の位置に、前記リムに対し傾斜しポット形接点ホルダ２６の底壁を貫通してそれぞれのコイルリードに接続された端子突耳２９を有する。このように２つの突耳２９が２つのコイルリード２０、従ってボイスコイル２６と、２つのＵ字形ばね接点２１及び２２との間の電気接続をもたらす。
前述したように，Ｕ字形ばね接点２１及び２２は変換器軸２の方向に見てほぼ中空円筒形磁石系９の内部に位置する。図２から明らかなように、図１−３に示す変換器１の２つのＵ字形ばね接点２１及び２２は変換器軸２に垂直の方向に見てもその大部分がほぼ中空の円筒形磁石系９の内部に位置する。変換器軸２に垂直の方向に見ると、２つのＵ字形ばね接点２１及び２２の接点面２５のみがほぼ中空円筒形磁石系９の外部に位置する。
図１−３の電気音響変換器１に関しては、この変換器１は拡大尺で示され、即ち実物大の約５倍で示されている点に注意されたい。変換器１の実物大では、図３に示す変換器１の外径Ｄの値は１３．２ｍｍの公称値を有する。従って、変換器１は特にコンパクトであり、携帯電話等のような通信装置用に極めて好適である。
図１−３に示す変換器１では、接点端子がＵ字形ばね接点２１及び２２として形成され、その接点面２５が変換器軸２にほぼ平行に移動し得るように構成されているため、携帯電話等のような電気音響装置のつがい接点との適切な接触係合が常に保証される。Ｕ字形構造のばね接点２１及び２２の結果として、２つのリム２３及び２４が変換器軸２の方向に互いに隣接して延在し、従って変換器１の全体が半径方向に極めてコンパクトになる。Ｕ字形構造のばね接点２１及び２２は、更に、両ばね接点が変換器１の磁石系９の内部にほぼ完全に収納される利点を有する。更に、２つのばね接点２１及び２２は変換器軸２から異なる半径距離に位置するため、電気音響装置がばね接点２１及び２２と協働するつがい接点として変換器軸２と同軸の円形接点及び環状接点又は変換器軸２と同軸の２つの環状接点を具える場合、変換器１を電気音響装置内に任意の相対位置に装着することができる。
本発明は一例として上述した実施例にのみ限定されない。上述の実施例では、２つのＵ字形ばね接点２１及び２２の第１リム２３が完全にまっすぐ、即ち直線である。しかし、この第１リムは使用可能空間又は設計上の理由のために必要に応じ曲げることもできる。上述の実施例では、各ばね接点２１又は２２の２つのリム２３及び２４が互いに平行に延在するため、変換器軸２の方向に見ると、２つのＵ字形ばね接点２１及び２２の各々の外側第２リムが内側第１リム２３の大部分を覆う。Ｕ字形ばね接点の代わりにＳ字形ばね接点を使用することもできる。
【図１】
0004011630.tif 000002
【図２】
0004011630.tif 000003
【図３】
0004011630.tif 000004